(57)【特許請求の範囲】
【請求項１】
作業機械におけるキャブの床部分を構成するフロア部材であって、
前記キャブの前後方向に沿って延びており、当該前後方向に対応する長さ方向の前方に位置する左側前方角部および右側前方角部と、前記長さ方向の後方に位置するとともに当該長さ方向に沿って前記左側前方角部および前記右側前方角部のそれぞれと並ぶ左側後方角部および右側後方角部と、を有するフロアプレートと、
前記長さ方向に直交する前記フロアプレートの幅方向に沿って前記フロアプレートに接合され、前記左側後方角部に重なるとともに前記長さ方向の前方に位置する左側前端を含む左端部および前記右側後方角部に重なるとともに前記長さ方向の前方に位置する右側前端を含む右端部を有し、前記左端部から前記右端部に亘って連続するように延びる一体の補強部材と、
前記フロアプレートの前記長さ方向に沿って前記フロアプレートに接合され、前記左側前方角部に重なる第１前端部および前記長さ方向において前記左端部の前記左側前端に接合される第１後端部を有し、前記第１前端部から前記第１後端部に亘って連続するように延びる一体の第１縦梁構成部材と、
前記フロアプレートの前記長さ方向に沿って前記フロアプレートに接合され、前記右側前方角部に重なる第２前端部および前記長さ方向において前記右端部の前記右側前端に接合される第２後端部を有し、前記第２前端部から前記第２後端部に亘って連続するように延びる一体の第２縦梁構成部材と、
前記左端部、前記右端部、前記第１前端部、および前記第２前端部と、前記フロアプレートの前記各角部とが重なる領域のそれぞれにおいて、前記補強部材、前記第１縦梁構成部材、前記第２縦梁構成部材、および前記フロアプレートを支持する支持部材と、を備えるフロア部材。
【請求項２】
前記第１縦梁構成部材および前記第２縦梁構成部材は、前記フロアプレートと前記支持部材との間に介在するように、前記フロアプレートの裏面に接合される、請求項１に記載のフロア部材。
【請求項３】
前記フロアプレートの前記長さ方向に直交する幅方向に沿って前記フロアプレートに接合される横梁部材をさらに備え、
前記横梁部材の一端は、前記第１縦梁構成部材に固定され、
前記横梁部材の他端は、前記第２縦梁構成部材に固定される、請求項１または２に記載のフロア部材。
【請求項４】
走行可能な下部走行体と、
前記下部走行体上に設けられる旋回可能な旋回フレームと、
請求項１または２に記載のフロア部材および当該フロア部材上に設けられるキャブ枠体を有し、前記旋回フレーム上に配置されるキャブと、を備え、
前記フロア部材の前記支持部材は、前記旋回フレーム上に設けられるとともに、前記左端部、前記右端部、前記第１前端部、および前記第２前端部と前記フロアプレートの前記各角部とが重なる領域のそれぞれにおいて、前記キャブを支持する、作業機械。
【発明の詳細な説明】
【技術分野】
【０００１】
本発明は、作業機械におけるキャブの床部分を構成するフロア部材、および当該フロア部材を備える作業機械に関する。
【背景技術】
【０００２】
従来、走行可能な下部走行体と、当該下部走行体上に旋回可能に設けられた上部旋回体と、当該上部旋回体に搭載された操縦を行うためのキャブと、を備えた作業機械が知られている。このような作業機械として、特許文献１には、旋回フレームを有した上部旋回体と、当該上部旋回体の旋回フレームに搭載されたキャブと、を備えた建設機械が記載されている。特許文献１に記載されたキャブは、当該キャブの前後方向に延びる矩形状をなした床板と、当該床板上に搭載されたキャブボックスと、床板の４つの角部に対応して当該床板の裏面に直接取り付けられた４つのマウント部材と、を有しており、これら４つのマウント部材を介して床板およびキャブボックスが上部旋回体の旋回フレームに支持されている。
【０００３】
特許文献１に記載されたキャブは、前記床板の撓みによる振動を抑止するために当該床板の裏面に接合された左右一対の補強部材をさらに有している。各補強部材は、キャブの前後方向に対応する床板の長さ方向に沿って延びるが、前記床板の各角部に取り付けられたマウント部材とは干渉しないように前記床板の長さ方向の前後に位置する２つのマウント部材の間の領域に位置している。具体的には、補強部材は、床板の長さ方向の中央部に位置するとともに、当該長さ方向の前後に位置する２つのマウント部材と並んでおり、当該２つのマウント部材とは離間している。
【先行技術文献】
【特許文献】
【０００４】
【特許文献１】特開２００６−５６３２５号公報
【発明の概要】
【発明が解決しようとする課題】
【０００５】
特許文献１に記載の建設機械では、床板に相当するフロアプレートがキャブの前後方向に延びる矩形状をなしており、当該フロアプレートの４つの角部がマウント部材を介して上部旋回体のキャブ支持部に支持されているため、フロアプレートの長さ方向における中央部に重量物が搭載されることによって当該中央部が撓む可能性がある。この撓みを抑止するためには、例えばフロアプレートの厚みや当該フロアプレートの中央部に位置する前記補強部材の厚みを大きくすることが考えられるが、このような場合、フロアプレートおよび補強部材の全体の重量およびコストの増大は避けられない。
【０００６】
本発明は、上記の観点からなされたものであり、その目的は、重量およびコストの著しい増大を伴うことなく、フロアプレートの長さ方向の中央部が撓むことを効果的に抑止できるフロア部材および当該フロア部材を備える作業機械を提供することにある。
【課題を解決するための手段】
【０００７】
本発明は、作業機械におけるキャブの床部分を構成するフロア部材であって、前記キャブの前後方向に沿って延びており、当該前後方向に対応する長さ方向の前方に位置する左側前方角部および右側前方角部と、前記長さ方向の後方に位置するとともに当該長さ方向に沿って前記左側前方角部および前記右側前方角部のそれぞれと並ぶ左側後方角部および右側後方角部と、を有するフロアプレートと、前記長さ方向に直交する前記フロアプレートの幅方向に沿って前記フロアプレートに接合され、前記左側後方角部に重なるとともに前記長さ方向の前方に位置する左側前端を含む左端部および前記右側後方角部に重なるとともに前記長さ方向の前方に位置する右側前端を含む右端部を有し、前記左端部から前記右端部に亘って連続するように延びる一体の補強部材と、前記フロアプレートの前記長さ方向に沿って前記フロアプレートに接合され、前記左側前方角部に重なる第１前端部および前記長さ方向において前記左端部の前記左側前端に接合される第１後端部を有し、前記第１前端部から前記第１後端部に亘って連続するように延びる一体の第１縦梁構成部材と、前記フロアプレートの前記長さ方向に沿って前記フロアプレートに接合され、前記右側前方角部に重なる第２前端部および前記長さ方向において前記右端部の前記右側前端に接合される第２後端部を有し、前記第２前端部から前記第２後端部に亘って連続するように延びる一体の第２縦梁構成部材と、前記左端部、前記右端部、前記第１前端部、および前記第２前端部と、前記フロアプレートの前記各角部とが重なる領域のそれぞれにおいて、前記補強部材、前記第１縦梁構成部材、前記第２縦梁構成部材、および前記フロアプレートを支持する支持部材と、を備える。
【０００８】
上記のフロア部材では、第１，第２縦梁部材の両端とフロアプレートの各角部とが重なる領域のそれぞれにおいて、支持部材がフロアプレートおよび第１，第２縦梁部材を支持するため、当該フロアプレートおよび第１，第２縦梁部材の厚みを極端に大きくすることなくフロアプレートの長さ方向の中央部が撓むことを効果的に抑止できる。具体的には、上記のフロア部材では、左側前方角部および左側後方角部と第１縦梁部材の両端とが重なるそれぞれの領域、および、右側前方角部および右側後方角部と第２縦梁部材の両端とが重なるそれぞれの領域に対応して支持部材が設けられることで、当該支持部材がフロアプレートに加えて第１，第２縦梁部材の両端も支持するため、例えば支持部材がフロアプレートの各角部に直接取り付けられるとともにフロアプレートの長さ方向の前後に位置する２つの支持部材の間の領域にのみ第１，第２縦梁部材が設けられるような場合に比して、フロアプレートの長さ方向における曲げ剛性を効果的に高めることができ、これによりのフロアプレートおよび第１，第２縦梁部材の厚みを極端に大きくすることなくフロアプレートの前記撓みを効果的に抑止できる。
【０００９】
前記第１縦梁構成部材および前記第２縦梁構成部材は、前記フロアプレートと前記支持部材との間に介在するように、前記フロアプレートの裏面に接合されることが好ましい。
【００１０】
上記のフロア部材では、第１，第２縦梁部材がフロアプレートの裏面に接合されるため、キャブの床部分となるフロア部材の表面上に第１，第２縦梁部材が位置することでキャブ内部における当該表面上の空間が狭まることを抑止できる。
【００１１】
前記フロアプレートの前記長さ方向に直交する幅方向に沿って前記フロアプレートに接合される横梁部材をさらに備え、
前記横梁部材の一端は、前記第１縦梁構成部材に固定され、
前記横梁部材の他端は、前記第２縦梁構成部材に固定されることが好ましい。
【００１２】
上記のフロア部材では、フロアプレートの幅方向に沿って延びる横梁部材の一端が第１縦梁部材に固定されるとともに、当該横梁部材の他端が第２縦梁部材に固定されるため、フロアプレート上に重量物が搭載される場合に横梁部材の一端および他端がフロアプレートの幅方向の中央部に向かって傾斜するように変形することを抑止でき、これによりフロアプレートの幅方向における曲げ剛性を効果的に高めることができる。
【００１３】
また、本発明は、作業機械であって、走行可能な下部走行体と、前記下部走行体上に設けられる旋回可能な旋回フレームと、請求項１または２に記載のフロア部材および当該フロア部材上に設けられるキャブ枠体を有し、前記旋回フレーム上に配置されるキャブと、を備え、前記フロア部材の前記支持部材は、前記旋回フレーム上に設けられるとともに、前記左端部、前記右端部、前記第１前端部、および前記第２前端部と前記フロアプレートの前記各角部とが重なる領域のそれぞれにおいて、前記キャブを支持する。
【００１４】
上記の作業機械では、本発明に係るフロア部材を有するキャブが旋回フレーム上に配置され、当該旋回フレーム上にて、第１，第２縦梁部材の両端とフロアプレートの各角部とが重なる領域のそれぞれにおいて支持部材がキャブを支持するため、例えばキャブの内部に位置するフロアプレート上において、当該フロアプレートの長さ方向の中央部に座席あるいは暖房機器等の重量物が搭載される場合であっても、当該長さ方向の中央部が撓むことを抑止できる。
【発明の効果】
【００１５】
以上のように、本発明によれば、重量およびコストの著しい増大を伴うことなく、フロアプレートの長さ方向の中央部が撓むことを効果的に抑止できるフロア部材および当該フロア部材を備える作業機械が提供される。
【図面の簡単な説明】
【００１６】
【図１】本実施形態に係る建設機械を示す概略側面図である。
【図２】本実施形態に係るキャブおよび旋回フレームを示す概略斜視図である。
【図３】本実施形態に係る旋回フレームを示す概略斜視図である。
【図４】本実施形態に係るキャブを示す概略斜視図であって、キャブ枠体を省略した図である。
【図５】本実施形態に係るフロア部材を示す概略斜視図であって、フロアプレートの裏面側から見た図である。
【図６】本実施形態に係るフロア部材の他の例を示す図であって、図５と同様の部位を示す図である。
【発明を実施するための形態】
【００１７】
以下、本発明の一実施形態について、図面を参照しながら説明する。但し、以下で参照する各図は、説明の便宜上、本発明の一実施形態の構成部材のうち、本発明を説明するために必要な主要部材を簡略化して示したものである。したがって、本発明に係るフロア部材および作業機械は、本明細書が参照する各図に示されていない任意の構成部材を備え得る。
【００１８】
本実施形態に係る建設機械Ｘ１は、本発明に係る作業機械に相当する。この建設機械Ｘ１は、図１に示すように、下部走行体１００、上部旋回体２００、アタッチメント３００、およびキャブ４００を備えている。
【００１９】
下部走行体１００は、地面上を走行可能であり、例えば左右一対のクローラーを備える。
【００２０】
上部旋回体２００は、下部走行体１００が走行する地面に垂直な方向に延びる軸回りに旋回可能となるように当該下部走行体１００に搭載されている。上部旋回体２００は、図２および図３に示すように旋回フレーム２１０を有している。旋回フレーム２１０は、下部走行体１００の上方に位置しており、当該下部走行体１００に旋回可能に連結されている。
【００２１】
アタッチメント３００は、掘削等の作業を行う部材である。アタッチメント３００は、上部旋回体２００に搭載されている。本実施形態では、アタッチメント３００は、旋回フレーム２１０に起伏可能に取り付けられたブーム３１０と、当該ブーム３１０の先端に回動可能に取り付けられたアーム３２０と、当該アーム３２０の先端に回動可能に取り付けられたバケット３３０と、を有している。
【００２２】
キャブ４００は、建設機械Ｘ１の使用者が当該建設機械Ｘ１の操縦を行うための操縦室を構成する部材である。キャブ４００は、アタッチメント３００の側方に配置されているとともに、上部旋回体２００に搭載されている。具体的には、上部旋回体２００の旋回フレーム２１０は、当該旋回フレーム２１０の前後方向の前方においてキャブ搭載部２２０を有しており、当該キャブ搭載部２２０にキャブ４００が搭載されている。
【００２３】
キャブ４００は、図２及び図４に示すように、フロア部材１およびキャブ枠体２を備えている。フロア部材１は、キャブ４００の床部分を構成する部材である。キャブ枠体２は、フロア部材１上に設けられている。このキャブ枠体２とフロア部材１とは、キャブ４００の内部の空間であって操縦室を構成する空間を取り囲んでいる。当該操縦室には、図４に示すように、建設機械Ｘ１の使用者が座る運転席Ｕ１、アタッチメント３００等を操縦するための操作レバーＬ１、下部走行体１００を操縦するための走行ペダルＰ１等が配置され、当該操縦室において建設機械Ｘ１の使用者が各種の操縦を行うことができる。
【００２４】
ここで、図４および図５に示すように、フロア部材１は、フロアプレート１１、縦梁構成部材１２、補強部材１５、２つの横梁部材１６、および４つの支持部材１８ａ〜１８ｄを備えている。
【００２５】
フロアプレート１１は、表面１１Ａおよび裏面１１Ｂを有する板状部材である。フロアプレート１１の表面１１Ａは、キャブ４００の内部の操縦室において使用者が搭乗する面である。フロアプレート１１の裏面１１Ｂは、旋回フレーム２１０のキャブ搭載部２２０と対向する面である。フロアプレート１１は、キャブ４００の前後方向に沿って延びている。本実施形態では、フロアプレート１１が矩形状をなしており、キャブ４００の前後方向がフロアプレート１１の長さ方向に対応するとともに、キャブ４００の左右方向がフロアプレート１１の幅方向に対応する。したがって、フロアプレート１１は、４つの角部１１ａ〜１１ｄを有している。具体的には、フロアプレート１１は、当該フロアプレート１１の長さ方向の前方に位置する左側前方角部１１ａおよび右側前方角部１１ｂと、当該長さ方向の後方に位置する左側後方角部１１ｃおよび右側後方角部１１ｄと、を有している。なお、フロアプレート１１は、必ずしも矩形状でなくともよく、キャブ４００の前後方向におけるフロアプレート１１の長さがキャブ４００の左右方向におけるフロアプレート１１の幅よりも大きく、且つ４つの角部１１ａ〜１１ｄを有する形状であればよい。例えば、フロアプレート１１の一部の辺が傾斜していてもよいし、フロアプレート１１の長さ方向または幅方向の中間部において不規則な凸部や凹部があってもよい。
【００２６】
縦梁構成部材１２は、フロアプレート１１の長さ方向における曲げ剛性を高めるための部材である。縦梁構成部材１２は、フロアプレート１１の長さ方向に沿って延びており、当該フロアプレート１１の裏面１１Ｂに接合されている。なお、「縦梁構成部材１２がフロアプレート１１の裏面１１Ｂに接合されている」とは、縦梁構成部材１２がフロアプレート１１の裏面１１Ｂに直接接着されているような場合のみならず、例えば縦梁構成部材１２が後述する各支持部材１８ａ，１８ｂによってフロアプレート１１の裏面１１Ｂと接するように固定される場合も含まれる。また、本実施形態では、縦梁構成部材１２は、フロアプレート１１の裏面１１Ｂに接合されているが、これに限らず、例えばフロアプレート１１の表面１１Ａに接合されてもよい。
【００２７】
縦梁構成部材１２は、第１縦梁構成部材１３と、第２縦梁構成部材１４と、を有している。
【００２８】
第１縦梁構成部材１３は、フロアプレート１１の長さ方向の左側に位置している。第１縦梁構成部材１３は、フロアプレート１１の長さ方向における前端部１３ａおよび当該前端部１３ａの反対側に位置している後端部１３ｂを有している。第１縦梁構成部材１３の前端部１３ａは、フロアプレート１１の左側前方角部１１ａに位置している。第１縦梁構成部材１３の後端部１３ｂは、フロアプレート１１の長さ方向において当該フロアプレート１１の左側後方角部１１ｃよりも前方に位置している。
【００２９】
第２縦梁構成部材１４は、フロアプレート１１の長さ方向の右側に位置している。第２縦梁構成部材１４は、フロアプレート１１の長さ方向における前端部１４ａおよび当該前端部１４ａの反対側に位置している後端部１４ｂを有している。第２縦梁構成部材１４の前端部１４ａは、フロアプレート１１の右側前方角部１１ｂに位置している。第２縦梁構成部材１４の後端部１４ｂは、フロアプレート１１の長さ方向において当該フロアプレート１１の右側後方角部１１ｄよりも前方に位置している。
【００３０】
補強部材１５は、フロアプレート１１の長さ方向における後端部を補強する部材である。補強部材１５は、フロアプレート１１の幅方向に沿って延びており、当該フロアプレート１１の裏面１１Ｂに接合されている。なお、「補強部材１５がフロアプレート１１の裏面１１Ｂに接合されている」とは、補強部材１５がフロアプレート１１の裏面１１Ｂに直接接着されているような場合のみならず、例えば補強部材１５が後述する各支持部材１８ｃ，１８ｄによってフロアプレート１１の裏面１１Ｂと接するように固定される場合も含まれる。また、本実施形態では、補強部材１５は、フロアプレート１１の裏面１１Ｂに接合されているが、これに限らず、例えば縦梁構成部材１２がフロアプレート１１の表面１１Ａに接合される場合においては、当該縦梁構成部材１２と同様にフロアプレート１１の表面１１Ａに接合される。
【００３１】
補強部材１５は、フロアプレート１１の幅方向における両端部分である第１端部１５ａおよび第２端部１５ｂを有している。補強部材１５の第１端部１５ａは、フロアプレート１１の左側後方角部１１ｃに位置している。補強部材１５の第２端部１５ｂは、フロアプレート１１の右側後方角部１１ｄに位置している。すなわち、補強部材１５は、フロアプレート１１の幅方向に沿うように当該フロアプレート１１の左側後方角部１１ｃから右側後方角部１１ｄに亘って延びている。
【００３２】
ここで、本実施形態に係る第１縦梁構成部材１３および第１端部１５ａは、本発明に係る第１縦梁部材を構成している。具体的には、フロア部材１では、第１縦梁構成部材１３の後端部１３ｂと補強部材１５の第１端部１５ａとがフロアプレート１１の長さ方向において溶接により接合されており、これにより一体となった第１縦梁構成部材１３と第１端部１５ａとの接合体がフロアプレート１１の左側前方角部１１ａから左側後方角部１１ｃに亘って延びることで、本発明に係る第１縦梁部材を構成している。
【００３３】
また、本実施形態に係る第２縦梁構成部材１４および第２端部１５ｂは、本発明に係る第２縦梁部材を構成している。具体的には、フロア部材１では、第２縦梁構成部材１４の後端部１４ｂと補強部材１５の第２端部１５ｂとがフロアプレート１１の長さ方向において溶接により接合されており、これにより一体となった第２縦梁構成部材１４と第２端部１５ｂとの接合体がフロアプレート１１の右側前方角部１１ｂから右側後方角部１１ｄに亘って延びることで、本発明に係る第２縦梁部材を構成している。
【００３４】
各横梁部材１６は、フロアプレート１１の幅方向における曲げ剛性を高めるための部材である。本実施形態の各横梁部材１６は、フロアプレート１１の幅方向に沿って延びており、当該フロアプレート１１の裏面１１Ｂに接合されている。各横梁部材１６は、フロアプレート１１の長さ方向の中間部に設けられており、運転席Ｕ１の下方に位置している。各横梁部材１６は、フロアプレート１１の幅方向において、第１縦梁構成部材１３側に位置する一端部と、第２縦梁構成部材１４側に位置する他端部と、を有している。各横梁部材１６の一端部は、第１縦梁構成部材１３に溶接されることにより、当該第１縦梁構成部材１３に固定されている。各横梁部材１６の他端部は、第２縦梁構成部材１４に溶接されることにより、当該第２縦梁構成部材１４に固定されている。
【００３５】
なお、横梁部材１６の個数および配置は任意であり、フロアプレート１１の表面１１Ａ上における重量物の配置に応じて適宜変更することができる。また、本実施形態では、各横梁部材１６は、フロアプレート１１の裏面１１Ｂに接合されているが、これに限らず、例えば縦梁構成部材１２がフロアプレート１１の表面１１Ａに接合される場合においては、当該縦梁構成部材１２と同様にフロアプレート１１の表面１１Ａに接合される。
【００３６】
各支持部材１８ａ〜１８ｄは、フロアプレート１１の各角部１１ａ〜１１ｂと、第１縦梁構成部材１３の前端部１３ａ、第２縦梁構成部材１４の前端部１４ａ、および補強部材１５の両端部１５ａ，１５ｂのそれぞれとが重なる領域において、フロアプレート１１、縦梁構成部材１２、および補強部材１５を支持している。本実施形態では、各支持部材１８ａ〜１８ｄは、フロアプレート１１の各角部１１ａ〜１１ｂに対応して、第１縦梁構成部材１３の前端部１３ａ、第２縦梁構成部材１４の前端部１４ａ、および補強部材１５の両端部１５ａ，１５ｂのそれぞれに取り付けられている。具体的には、各支持部材１８ａ〜１８ｄは、左側前方角部１１ａに対応する第１縦梁構成部材１３の前端部１３ａ、右側前方角部１１ｂに対応する第２縦梁構成部材１４の前端部１４ａ、左側後方角部１１ｃに対応する補強部材１５の第１端部１５ａ、および右側後方角部１１ｄに対応する補強部材１５の第２端部１５ｂのそれぞれに取り付けられている。これにより、本発明の第１縦梁部材に相当する第１縦梁構成部材１３と補強部材１５の第１端部１５ａとの接合体が、フロアプレート１１の長さ方向の前後において各支持部材１８ａ，１８ｃに支持されているとともに、本発明の第２縦梁部材に相当する第２縦梁構成部材１４と補強部材１５の第２端部１５ｂとの接合体が、フロアプレート１１の長さ方向の前後において各支持部材１８ｂ，１８ｄに支持されている。そして、フロアプレート１１は、縦梁構成部材１２および補強部材１５を介して各支持部材１８ａ〜１８ｄに支持されている。
【００３７】
なお、本実施形態では、各支持部材１８ａ〜１８ｂとフロアプレート１１の裏面１１Ｂとの間に縦梁構成部材１２および補強部材１５が介在しているが、これに限らず、例えばフロアプレート１１の表面１１Ａに縦梁構成部材１２が接合されるとともに当該フロアプレート１１の各角部１１ａ〜１１ｄに対応する裏面１１Ｂに各支持部材１８ａ〜１８ｂが取り付けられてもよい。
【００３８】
各支持部材１８ａ〜１８ｄは、当該各支持部材１８ａ〜１８ｄに対応して旋回フレーム２１０のキャブ搭載部２２０に設けられた各保持孔２３０ａ〜２３０ｄに嵌め込まれている。これにより、旋回フレーム２１０のキャブ搭載部２２０において、各支持部材１８ａ〜１８ｄは、フロアプレート１１の各角部１１ａ〜１１ｂと、第１縦梁構成部材１３の前端部１３ａ、第２縦梁構成部材１４の前端部１４ａ、および補強部材１５の両端部１５ａ，１５ｂのそれぞれとが重なる領域においてキャブ４００を支持している。
【００３９】
このように、建設機械Ｘ１のフロア部材１では、本発明に係る第１縦梁部材を構成する第１縦梁構成部材１３と第１端部１５ａとの接合体、および本発明に係る第２縦梁部材を構成する第２縦梁構成部材１４と第２端部１５ｂとの接合体が、フロアプレート１１の前方角部１１ａ，１１ｂから後方角部１１ｃ，１１ｄに亘って延びており、前記各接合体の両端部とフロアプレート１１の各角部１１ａ〜１１ｄとが重なる領域のそれぞれにおいて各支持部材１８ａ〜１８ｄが前記各接合体およびフロアプレート１１を支持しているため、各支持部材１８ａ〜１８ｄが各角部１１ａ〜１１ｄのそれぞれを直接支持するとともに各支持部材１８ａ，１８ｂと各支持部材１８ｃ，１８ｄとの間の領域において各支持部材１８ａ〜１８ｄと干渉しないように第１，第２縦梁部材が設けられる場合に比して、前記各接合体によって構成される第１，第２縦梁部材の長さを長くすることができるとともに、各支持部材１８ａ〜１８ｄがフロアプレート１１のみならず前記各接合体によって構成される第１，第２縦梁部材をも支持しているため、フロアプレート１１の長さ方向の曲げ剛性を効果的に高めることができ、これによりフロアプレート１１の厚みおよび前記各接合体によって構成される第１，第２縦梁部材の厚みを極端に大きくすることなくフロアプレート１１の長さ方向における中央部の撓みを効果的に抑止できる。
【００４０】
さらに、フロア部材１では、前記各接合体がフロアプレート１１と各支持部材１８ａ〜１８ｄとの間に介在するように当該フロアプレート１１の裏面１１Ｂに接合されており、キャブ４００の内部の操縦室においてフロアプレート１１の表面１１Ａ上に前記各接合体に相当する縦梁構成部材１２および補強部材１５が存在しないため、当該縦梁構成部材１２および補強部材１５によって前記操縦室が狭まることを抑止できる。
【００４１】
さらに、フロア部材１では、フロアプレート１１の幅方向に沿って延びる横梁部材１６を有しており、当該横梁部材１６の一端部が第１縦梁構成部材１３に固定されているとともに当該横梁部材１６の他端部が第２縦梁構成部材１４に固定されているため、フロアプレート１１の幅方向の中央部における撓みを効果的に抑止できる。具体的には、例えば本実施形態のようにフロアプレート１１の幅方向の中央部に運転席Ｕ１が配置されている場合、運転席Ｕ１の重みによって当該幅方向の中央部が撓む可能性があるが、フロア部材１では、当該幅方向に沿って延びる横梁部材１６がフロアプレート１１の裏面１１Ｂに接合されていることから、フロアプレート１１の前記撓みを抑止できるとともに、横梁部材１６の一端部および他端部が縦梁構成部材１２に固定されることから、フロアプレート１１の前記撓みによって横梁部材１６の一端部および他端部が前記幅方向の中央部に向かって傾斜するように変形することが抑止され、これによりフロアプレート１１の前記撓みをより効果的に抑止できる。
【００４２】
さらに、フロア部材１では、補強部材１５がフロアプレート１１の左側後方角部１１ｃから右側後方角部１１ｄに亘って位置しているため、重量物が搭載される可能性が高いフロアプレート１１の長さ方向における後端部の剛性を効果的に高めることができ、これにより当該重量物によって前記後端部が撓むことを抑止できる。
【００４３】
なお、本実施形態では、複数の構成部材、すなわち第１縦梁構成部材１３、第２縦梁構成部材１４、および補強部材１５によって、本発明に係る第１，第２縦梁部材が構成されているが、これに限らず、単一の構成部材によって第１，第２縦梁部材のそれぞれが構成されてもよい。
【００４４】
例えば、図６に示すように、本発明に係る第１縦梁部材がフロアプレート１１の長さ方向に沿うように左側前方角部１１ａから左側後方角部１１ｃに亘って延びる単一の第１縦梁構成部材１３によって構成されているとともに、本発明に係る第２縦梁部材が当該長さ方向に沿うように右側前方角部１１ｂから右側後方角部１１ｄに亘って延びる単一の第２縦梁構成部材１４によって構成されていてもよい。このような構成では、第１縦梁構成部材１３の前端部１３ａがフロアプレート１１の左側前方角部１１ａに位置しているとともに、第１縦梁構成部材１３の後端部１３ｂがフロアプレート１１の左側後方角部１１ｃに位置している。また、第２縦梁構成部材１４の前端部１４ａがフロアプレート１１の右側前方角部１１ｂに位置しているとともに、第２縦梁構成部材１４の後端部１４ｂがフロアプレート１１の右側後方角部１１ｄに位置している。そして、各支持部材１８ａ，１８ｃが第１縦梁構成部材１３の両端部１３ａ，１３ｂにそれぞれ取り付けられているとともに、各支持部材１８ｂ，１８ｄが第２縦梁構成部材１４の両端部１４ａ，１４ｂにそれぞれ取り付けられている。
【符号の説明】
【００４５】
Ｘ１              建設機械（作業機械）
２００            上部旋回体
２１０            旋回フレーム
４００            キャブ
１                フロア部材
２                キャブ枠体
１１              フロアプレート
１１Ａ            表面
１１Ｂ            裏面
１１ａ            左側前方角部
１１ｂ            右側前方角部
１１ｃ            左側後方角部
１１ｄ            右側後方角部
１２              縦梁構成部材
１３              第１縦梁構成部材
１４              第２縦梁構成部材
１５              補強部材
１６              横梁部材
１８ａ〜１８ｄ    支持部材
【図１】
0006020484.tif 000002
【図２】
0006020484.tif 000003
【図３】
0006020484.tif 000004
【図４】
0006020484.tif 000005
【図５】
0006020484.tif 000006
【図６】
0006020484.tif 000007